【手続補正書】
【提出日】平成23年10月20日(2011.10.20)
【手続補正１】
【補正対象書類名】特許請求の範囲
【補正対象項目名】全文
【補正方法】変更
【補正の内容】
【特許請求の範囲】
【請求項１】
ジョブ実行時に応用モードに関する設定を行うための応用モード設定画面と、ジョブ実行前にユーザーモードに関する設定を行うためのユーザーモード設定画面とを有するユーザーインターフェイスであって、
前記応用モード設定画面が表示されているときに、前記ユーザーモードの設定を行うことを指示する指示手段と、
前記応用モード設定画面が表示されているときに前記ユーザーモードの設定を行うことが前記指示手段により指示された場合に、表示されている応用モード設定画面で設定される応用モード設定に関連したユーザーモード項目を表示する表示手段と、
を備えることを特徴とするユーザーインターフェイス。
【請求項２】
ジョブ実行時に応用モードに関する設定を行うための応用モード設定画面と、ジョブ実行前にユーザーモードに関する設定を行うためのユーザーモード設定画面とを有するユーザーインターフェイスの制御方法であって、
前記ユーザーモードの設定を行うことが指示されたときに、前記応用モード設定画面が表示されているか否か判断する判断ステップと、
前記判断ステップにより前記応用モード設定画面が表示されていると判断された場合に、表示されている応用モード設定画面で設定される応用モード設定に関連したユーザーモード項目を表示する表示ステップと、
を備えることを特徴とするユーザーインターフェイスの制御方法。
【請求項３】
ジョブ実行時に応用モードに関する設定を行うための応用モード設定画面と、ジョブ実行前にユーザーモードに関する設定を行うためのユーザーモード設定画面とを有するユーザーインターフェイスの制御方法をコンピュータに実行させるプログラムであって、
前記ユーザーインターフェイスの制御方法は、
前記ユーザーモードの設定を行うことが指示されたときに、前記応用モード設定画面が表示されているか否か判断する判断ステップと、
前記判断ステップにより前記応用モード設定画面が表示されていると判断された場合に、表示されている応用モード設定画面で設定される応用モード設定に関連したユーザーモード項目を表示する表示ステップと、
を備えることを特徴とするプログラム。
【請求項４】
ジョブ実行前にユーザーモードに関する設定を行うためのユーザーモード設定画面が表示されている場合に、ジョブ実行時に応用モードに関する設定を行うための応用モード設定画面が表示されているか否か判断する判断手段と、
前記判断手段により前記応用モード設定画面が表示されていると判断された場合に、表示されている応用モード設定画面で設定される応用モード設定に関連したユーザーモード項目を表示する表示手段と、
を備えることを特徴とする画像処理装置。
【請求項５】
ジョブ実行時に必要な設定を行う第１の設定手段と、
ジョブ実行前に必要な設定を行う第２の設定手段とを備え、
前記第１の設定手段は、設定可能な属性を一覧表示する第１の表示手段と、当該一覧表示された属性の中から選択された１つの属性に対応する属性値を入力する入力手段とを有し、
前記第２の設定手段は、前記第１の設定手段によって設定を行っている途中に、前記第２の設定手段で設定可能な項目を表示する第２の表示手段を有し、
前記第２の設定手段で設定可能な項目の項目数は前記第１の設定手段によって設定が行われている状態に連動することを特徴とするユーザーインターフェイス。
【請求項６】
前記第２の設定手段は、前記第１の設定手段によって設定が行われている状態に連動して設定が無効となる項目を選択する第１の選択手段を有することを特徴とする請求項５記載のユーザーインターフェイス。
【請求項７】
前記第２の設定手段は、設定した内容を即時に反映させるか又は保留状態にして指定されたタイミングで反映させるかを選択する第２の選択手段を有することを特徴とする請求項５又は６に記載のユーザーインターフェイス。
【手続補正２】
【補正対象書類名】明細書
【補正対象項目名】０００１
【補正方法】変更
【補正の内容】
【０００１】
本発明は、複数の設定項目を有するユーザーインターフェイス（操作部）及びその制御方法、並びにプログラム、当該ユーザーインターフェイスを備える画像処理装置に関する。
【手続補正３】
【補正対象書類名】明細書
【補正対象項目名】０００４
【補正方法】変更
【補正の内容】
【０００４】
一方、自動用紙選択機能のＯＮ／ＯＦＦやステイプル位置の調整、ページ番号印字位置の調整等の設定は、ジョブを実行する時ではなく、事前に予め設定しておくべき項目となる。この予め設定しておくべき項目は、コピー画面ではなくユーザーモードという特別な画面から設定を行うことになっている（特許文献１参照）。
【特許文献１】特開２００７−０２８１０５号公報
【手続補正４】
【補正対象書類名】明細書
【補正対象項目名】０００８
【補正方法】変更
【補正の内容】
【０００８】
更に、ユーザーモードにおいて行われる設定はＭＦＰの本体に記憶されるため、すべてのジョブに影響を与えることがある。そして、設定の確からしさを検証してから設定することができず、設定の途中でジョブが投入されると正常な印刷が行えなくなるという問題がある。
【手続補正５】
【補正対象書類名】明細書
【補正対象項目名】０００９
【補正方法】変更
【補正の内容】
【０００９】
本発明の目的は、ユーザーモードの設定を、容易にかつより正確に行うことができるユーザーインターフェイス及びその制御方法、並びにプログラム、画像処理装置を提供することにある。
【手続補正６】
【補正対象書類名】明細書
【補正対象項目名】００１０
【補正方法】変更
【補正の内容】
【００１０】
本発明によるユーザーインターフェイスは、ジョブ実行時に応用モードに関する設定を行うための応用モード設定画面と、ジョブ実行前にユーザーモードに関する設定を行うためのユーザーモード設定画面とを有するユーザーインターフェイスであって、前記応用モード設定画面が表示されているときに、前記ユーザーモードの設定を行うことを指示する指示手段と、前記応用モード設定画面が表示されているときに前記ユーザーモードの設定を行うことが前記指示手段により指示された場合に、表示されている応用モード設定画面で設定される応用モード設定に関連したユーザーモード項目を表示する表示手段とを備えることを特徴とする。
【手続補正７】
【補正対象書類名】明細書
【補正対象項目名】００１１
【補正方法】変更
【補正の内容】
【００１１】
本発明によるユーザーインターフェイスの制御方法は、ジョブ実行時に応用モードに関する設定を行うための応用モード設定画面と、ジョブ実行前にユーザーモードに関する設定を行うためのユーザーモード設定画面とを有するユーザーインターフェイスの制御方法であって、前記ユーザーモードの設定を行うことが指示されたときに、前記応用モード設定画面が表示されているか否か判断する判断ステップと、前記判断ステップにより前記応用モード設定画面が表示されていると判断された場合に、表示されている応用モード設定画面で設定される応用モード設定に関連したユーザーモード項目を表示する表示ステップとを備えることを特徴とする。
【手続補正８】
【補正対象書類名】明細書
【補正対象項目名】００１２
【補正方法】変更
【補正の内容】
【００１２】
本発明によるプログラムは、ジョブ実行時に応用モードに関する設定を行うための応用モード設定画面と、ジョブ実行前にユーザーモードに関する設定を行うためのユーザーモード設定画面とを有するユーザーインターフェイスの制御方法をコンピュータに実行させるプログラムであって、前記ユーザーインターフェイスの制御方法は、前記ユーザーモードの設定を行うことが指示されたときに、前記応用モード設定画面が表示されているか否か判断する判断ステップと、前記判断ステップにより前記応用モード設定画面が表示されていると判断された場合に、表示されている応用モード設定画面で設定される応用モード設定に関連したユーザーモード項目を表示する表示ステップとを備えることを特徴とする。
【手続補正９】
【補正対象書類名】明細書
【補正対象項目名】００１３
【補正方法】変更
【補正の内容】
【００１３】
本発明による画像処理装置は、ジョブ実行前にユーザーモードに関する設定を行うためのユーザーモード設定画面が表示されている場合に、ジョブ実行時に応用モードに関する設定を行うための応用モード設定画面が表示されているか否か判断する判断手段と、前記判断手段により前記応用モード設定画面が表示されていると判断された場合に、表示されている応用モード設定画面で設定される応用モード設定に関連したユーザーモード項目を表示する表示手段とを備えることを特徴とする。
【手続補正１０】
【補正対象書類名】明細書
【補正対象項目名】００１４
【補正方法】変更
【補正の内容】
【００１４】
さらに、本発明によるユーザーインターフェイスは、  ジョブ実行時に必要な設定を行う第１の設定手段と、ジョブ実行前に必要な設定を行う第２の設定手段とを備え、前記第１の設定手段は、設定可能な属性を一覧表示する第１の表示手段と、当該一覧表示された属性の中から選択された１つの属性に対応する属性値を入力する入力手段とを有し、前記第２の設定手段は、前記第１の設定手段によって設定を行っている途中に、前記第２の設定手段で設定可能な項目を表示する第２の表示手段を有し、前記第２の設定手段で設定可能な項目の項目数は前記第１の設定手段によって設定が行われている状態に連動することを特徴とする。
【手続補正１１】
【補正対象書類名】明細書
【補正対象項目名】００２１
【補正方法】変更
【補正の内容】
【００２１】
ユーザーインターフェイスとしての操作部１０６は、ＬＣＤとキーボードから構成されており、コントローラ１０１からの情報表示を行うとともに、ユーザーからの指示をコントローラ１０１に伝える。また、操作部１０６は、ネットワーク（イーサネット（登録商標）、ＴＣＰ／ＩＰ）のどのインターフェイスからでも、すべての機能を使用可能である。
【手続補正１２】
【補正対象書類名】明細書
【補正対象項目名】００２３
【補正方法】変更
【補正の内容】
【００２３】
図２において、コントローラ１０１は、ＣＰＵ２０１、メモリ２０２、ＲＯＭ２０５、ディスク（記憶媒体）２０６がバス２０７に接続されて構成される。また、ＣＰＵ２０１が、バス２０７を介して、操作部１０６を構成する液晶ディスプレイ（ＬＣＤ）２０３及びキーボード２０４に接続されている。
【手続補正１３】
【補正対象書類名】明細書
【補正対象項目名】００２６
【補正方法】変更
【補正の内容】
【００２６】
メモリ２０２にはＤＲＡＭ又はＳＲＡＭのような揮発性メモリが用いられる。なお、メモリ２０２は、揮発性メモリ及び不揮発性メモリ双方の機能を備えていても良いし、揮発性メモリの機能をメモリ２０２が受け持ち、不揮発性メモリの機能をディスク２０６が受け持つような構成でもよい。
【手続補正１４】
【補正対象書類名】明細書
【補正対象項目名】００３４
【補正方法】変更
【補正の内容】
【００３４】
画像出力デバイスである、プリンタエンジン１０３を含むプリンタ部３０１は、ラスタイメージデータを用紙上の画像に変換する。プリント動作の起動や停止は、ＣＰＵ２０１からの指示によって開始する。
【手続補正１５】
【補正対象書類名】明細書
【補正対象項目名】００３６
【補正方法】変更
【補正の内容】
【００３６】
図４において、液晶ディスプレイ２０３（図２）は、液晶上にタッチパネルシートが貼られており、システムの操作画面及びソフトキーを表示するとともに、表示してあるキーが押されるとその位置情報をＣＰＵ２０１に伝える。
【手続補正１６】
【補正対象書類名】明細書
【補正対象項目名】００４２
【補正方法】変更
【補正の内容】
【００４２】
図５Ａ（ａ）の応用モードボタン１５０３を押下すると、図５Ａ（ｃ）の画面１５１４に切り替わり、様々な画像処理モードが設定できる。
【手続補正１７】
【補正対象書類名】明細書
【補正対象項目名】００４８
【補正方法】変更
【補正の内容】
【００４８】
図５Ａ（ａ）の矢印ボタン１５２６を押下すると、次のページとして図５Ｃ（ｂ）のホールドジョブ画面１５１７が表示される。この画面中のタブ１５２７、１５２８、１５２９を押下することで、更に異なるジョブの種類の画面を表示させることが可能となるが、ここでは説明を割愛する。
【手続補正１８】
【補正対象書類名】明細書
【補正対象項目名】００５６
【補正方法】変更
【補正の内容】
【００５６】
図６（ａ）の画面１６０１が表示されると、ＭＦＰに対する設定を行うことができる。共通仕様設定ボタン１６０２は、すべてのジョブ種に共通な設定を行うときに押下する。タイマー設定ボタン１６０３は、スリープ設定等を行うときに押下する。
【手続補正１９】
【補正対象書類名】明細書
【補正対象項目名】００５８
【補正方法】変更
【補正の内容】
【００５８】
コピー仕様設定ボタン１６０７は、コピー特有の設定を行うときに押下する。送信受信仕様設定ボタン１６０８は、送信受信特有の設定を行うときに押下する。ボックス仕様設定ボタン１６０９は、ボックスジョブ特有の設定を行う場合に押下する。
【手続補正２０】
【補正対象書類名】明細書
【補正対象項目名】００６６
【補正方法】変更
【補正の内容】
【００６６】
図７において、ステップＳ７０１で、ユーザーモードキー４０６が押下されると、ステップＳ７０２において、ＣＰＵ２０１は、液晶ディスプレイ２０３に応用モード設定画面が表示されているかどうかを判断する。
【手続補正２１】
【補正対象書類名】明細書
【補正対象項目名】００６９
【補正方法】変更
【補正の内容】
【００６９】
ステップＳ７０４で、ＣＰＵ２０１は、表示されている画面において設定可能な属性に影響を与えるユーザーモードの設定項目を選択する。
【手続補正２２】
【補正対象書類名】明細書
【補正対象項目名】００７５
【補正方法】変更
【補正の内容】
【００７５】
また、画面１５２５が表示されている場合に、ユーザーモードキー４０６を押下すると、図９に示す画面が表示される。画面１５２５は縮小レイアウトという、変倍設定を元にしてレイアウトに最適な画像回転を行う属性の設定画面なので、ユーザモードキー４０６を押下げると、図９に示す画面には変倍に関連するズーム微調整のユーザーモード設定１８０１が表示され、ボタン１８０２を押下することにより、ズームの微調整が可能となる。
【手続補正２３】
【補正対象書類名】明細書
【補正対象項目名】００７８
【補正方法】変更
【補正の内容】
【００７８】
ステップＳ７０７で、ＣＰＵ２０１は、「登録」、「実行時のみ」、「保留」を指示するためのボタンを液晶ディスプレイ２０３に表示する。図８、図９の１８０４、１８０５、１８０６は、これらのボタンが表示された画面の例を示す図である。
【手続補正２４】
【補正対象書類名】明細書
【補正対象項目名】００７９
【補正方法】変更
【補正の内容】
【００７９】
ステップＳ７０８で、ＣＰＵ２０１は、ユーザーモードの設定を行い、ステップＳ７０９で、ユーザーモードを登録するか否か判断する。図８、図９の「登録」ボタン１８０４が押下された場合は、ステップＳ７１３で、ＣＰＵ２０１は、設定内容を不揮発性メモリ（例えばディスク２０６）に記憶する。
【手続補正２５】
【補正対象書類名】明細書
【補正対象項目名】００８０
【補正方法】変更
【補正の内容】
【００８０】
「登録」ボタン１８０４が押されなかった場合は、ステップＳ７１０で、ＣＰＵ２０１は、設定したユーザーモードを保留するか確認する。「保留」ボタン１８０６が押下された場合、ステップＳ７１１で、ＣＰＵ２０１は、保留フラグを立て、ステップＳ７１２で、ユーザーモードの設定値を揮発性メモリ（例えば、メモリ２０２）に記憶する。ステップＳ７１０で、「実行時のみ」ボタン１８０５が押下された場合も、ＣＰＵ２０１は、ステップＳ７１２の処理を実行する。
【手続補正２６】
【補正対象書類名】明細書
【補正対象項目名】００８１
【補正方法】変更
【補正の内容】
【００８１】
ステップＳ７０３、Ｓ７１２、Ｓ７１３のいずれかの処理が終了すると、ステップＳ７１４で、ＣＰＵ２０１は、図８、図９の閉じるボタン１８０７の押下を検知し、ユーザーモードキー４０６押下げ直前の設定画面に戻る。
【手続補正２７】
【補正対象書類名】明細書
【補正対象項目名】００８４
【補正方法】変更
【補正の内容】
【００８４】
ステップＳ７１７で、ＣＰＵ２０１は、保留フラグが立っているか確認する。立っている場合は、ステップＳ７１８で、ＣＰＵ２０１は、図１０に示す「確定」ボタンと「破棄」ボタンを液晶ディスプレイ２０３に表示する。
【手続補正２８】
【補正対象書類名】明細書
【補正対象項目名】００８７
【補正方法】変更
【補正の内容】
【００８７】
本発明のユーザーインターフェイスは、ジョブ実行時に応用モード設定を行う応用モード設定画面と、ジョブ実行前にユーザーモード設定を行うユーザーモード設定画面とを有する。そして、ユーザーモード設定画面の表示時に、応用モード設定画面が表示されているか否か判断する。また、応用モード設定画面が表示されていると判断された場合に、応用モード設定に関連したユーザーモード項目を表示する。
【手続補正２９】
【補正対象書類名】明細書
【補正対象項目名】００９８
【補正方法】変更
【補正の内容】
【００９８】
【図１】本発明の実施の形態に係る画像処理装置の一例としての多機能周辺機器（ＭＦＰ）のブロック図である。
【図２】図１におけるコントローラのハードウエア構成とコントローラに接続されるユニットを示すブロック図である。
【図３】図１のＭＦＰの外観図である。
【図４】図３における操作部の構成図である。
【図５Ａ】図４における液晶ディスプレイに表示される画面の例を示す図である。
【図５Ｂ】図４における液晶ディスプレイに表示される画面の例を示す図である。
【図５Ｃ】図４における液晶ディスプレイに表示される画面の例を示す図である。
【図５Ｄ】図４における液晶ディスプレイに表示される画面の例を示す図である。
【図６】図４におけるユーザーモードキーを押下したときの液晶ディスプレイに表示される画面の例を示す図である。
【図７】図１のＭＦＰによって実行されるユーザーモード処理の手順を示すフローチャートである。
【図８】図５Ａ（ｃ）における画面が表示されている場合に、図４におけるユーザーモードキーを押下したときの液晶ディスプレイに表示される画面の例を示す図である。
【図９】図５Ｂ（ｂ）における画面が表示されている場合に、図４におけるユーザーモードキーを押下したときの液晶ディスプレイに表示される画面の例を示す図である。
【図１０】図７のフローチャートで保留フラグが立っている場合に、図４における液晶ディスプレイに表示される画面の例を示す図である。